(57)【要約】【課題】  発光部の接続を分散させて接続構造の簡素化を図り、確実にかつ良好に発光部を接続して発光させることができる指針発光装置を提供する。【解決手段】  文字板５上の所定位置である１２時の位置に分針８が移動した際に、分針８に設けられた発光素子１３を発光させるために、分針８および分針軸１０を経由して発光素子１３の一方の電極端子１３ａを電源回路部の一方の電極７ａに接続する第１接続部１４と、文字板５上の１２時の位置に設けられて分針８が接離可能に接触する導通部材１７を経由して、発光素子１３の他方の電極端子１３ｂを電源回路部の他方の電極７ｂに接続する第２接続部１５と、を備えている。従って、発光素子１３の接続配線１２ｂ、１２ｃを分針軸１０に集中させずに、分散させることができ、これにより接続構造の簡素化を図ることができ、確実にかつ良好に発光素子１３を電源回路部に接続して発光させることができる。【選択図】        図２
2014062759.tif 000002
【特許請求の範囲】
【請求項１】
指針軸に取り付けられた指針が目盛板上を移動して目盛を指示すると共に、前記目盛板上の所定位置に前記指針が移動した際に、前記指針に設けられた発光部が発光する指針発光装置であって、
前記指針および前記指針軸を経由して前記発光部の一方の電極端子を電源回路部の一方の電極に接続する第１接続部と、
前記目盛板上の前記所定位置に設けられて前記指針が移動した際に接触する導通部材と、
前記導通部材を経由して、前記発光部の他方の電極端子を前記電源回路部の他方の電極に接続する第２接続部と、
を備えていることを特徴とする指針発光装置。
【請求項２】
請求項１に記載の指針発光装置において、前記導通部材は、前記目盛板上に設けられたリング状の導通本体部と、この導通本体部上における前記所定位置に設けられた導通突起部と、この導通突起部を除いて前記導通本体部上に前記導通突起部と同じ高さで設けられた絶縁部とを備えていることを特徴とする指針発光装置。
【請求項３】
請求項２に記載の指針発光装置において、前記導通部材の前記導通突起部は、前記導通本体部上における所定の範囲に亘って設けられていることを特徴とする指針発光装置。
【請求項４】
請求項１〜請求項３のいずれかに記載の指針発光装置において、前記導通部材は、前記目盛板上に回転移動可能に設けられ、かつ操作部材によって回転移動することを特徴とする指針発光装置。
【請求項５】
請求項１〜請求項４のいずれかに記載の指針発光装置において、前記指針には、前記導通部材と導通する接触子が設けられていることを特徴とする指針発光装置。
【発明の詳細な説明】
【技術分野】
【０００１】
この発明は、時計や車両の計器類に用いられる指針発光装置に関する。
【背景技術】
【０００２】
例えば、車両の計器類に用いられる指針発光装置においては、特許文献１に記載されているように、指針軸に取り付けられて目盛板の上方を移動する指針に発光素子を設け、この発光素子を発光させて目盛板上を部分的に照明するように構成されたものが知られている。
【先行技術文献】
【特許文献】
【０００３】
【特許文献１】特開２００２−２５７５９８号公報
【発明の概要】
【発明が解決しようとする課題】
【０００４】
しかしながら、このような指針発光装置では、指針が指針軸の回転に伴って移動する構成であるから、指針に設けられた発光素子を電源回路部に電気的に接続する場合、その接続構造が複雑になるという問題がある。すなわち、発光素子の接続は、発光素子の両極を電源回路部に接続する際に、その両極の各配線が指針軸に集中するため、この指針軸の各配線を電源回路部の両極に接続する接続構造が煩雑になり、組み立て作業が面倒で難しくなる。
【０００５】
この発明が解決しようとする課題は、発光部の接続を分散させて接続構造の簡素化を図り、確実にかつ良好に発光部を接続して発光させることができる指針発光装置を提供することである。
【課題を解決するための手段】
【０００６】
この発明は、指針軸に取り付けられた指針が目盛板上を移動して目盛を指示すると共に、前記目盛板上の所定位置に前記指針が移動した際に、前記指針に設けられた発光部が発光する指針発光装置であって、前記指針および前記指針軸を経由して前記発光部の一方の電極端子を電源回路部の一方の電極に接続する第１接続部と、前記目盛板上の前記所定位置に設けられて前記指針が移動した際に接触する導通部材と、前記導通部材を経由して、前記発光部の他方の電極端子を前記電源回路部の他方の電極に接続する第２接続部と、を備えていることを特徴とする指針発光装置である。
【発明の効果】
【０００７】
この発明によれば、発光部の両極である２つ電極端子を電源回路部に接続する際に、指針および指針軸を経由する第１接続部によって、発光部の一方の電極端子を電源回路部の一方の電極に接続することができ、また指針が接離可能に接触する目盛板上の導通部材を経由する第２接続部によって、発光部の他方の電極端子を電源回路部の他方の電極に接続することができる。このため、発光部の接続配線を指針軸に集中させずに、分散させることができ、これにより接続構造の簡素化を図ることができると共に、確実にかつ良好に発光部を電源回路部に接続して発光させることができる。
【図面の簡単な説明】
【０００８】
【図１】この発明の指針発光装置を腕時計の時計モジュールに適用した第１実施形態を示した拡大正面図である。
【図２】図１に示された時計モジュールのＡ−Ａ矢視における要部の拡大断面図である。
【図３】図２に示された時計モジュールにおける分針の要部を示した拡大断面図である。
【図４】図１に示された時計モジュールにおいて、分針が１２時の位置から移動した状態を示した拡大正面図である。
【図５】図４に示された時計モジュールのＢ−Ｂ矢視における要部の拡大断面図である。
【図６】この発明の指針発光装置を腕時計の時計モジュールに適用した第２実施形態を示した拡大正面図である。
【図７】図６に示された時計モジュールのＣ−Ｃ矢視における要部の拡大断面図である。
【図８】図６に示された時計モジュールの導通部材のＤ−Ｄ矢視における要部の拡大断面図である。
【図９】図６に示された時計モジュールにおいて、分針が１２時の位置から移動した状態を示した拡大正面図である。
【図１０】図９に示された時計モジュールのＥ−Ｅ矢視における要部の拡大断面図である。
【図１１】この発明の指針発光装置を腕時計の時計モジュールに適用した第３実施形態を示した拡大正面図である。
【図１２】図１１に示された時計モジュールのＦ−Ｆ矢視における要部の拡大断面図である。
【図１３】図１２に示された時計モジュールのＧ−Ｇ矢視における要部の拡大断面図である。
【図１４】図１１に示された時計モジュールにおいて、導通部材を９０度回転移動させた状態を示し、（ａ）は分針が１２時の位置から１時の位置に移動した状態を示した拡大正面図、（ｂ）は分針が１２時の位置から７時の位置に移動した状態を示した拡大正面図である。
【発明を実施するための形態】
【０００９】
（第１実施形態）
以下、図１〜図５を参照して、この発明を指針式の腕時計に適用した第１実施形態について説明する。
この腕時計は、図１および図２に示すように、時計モジュール１を備えている。この時計モジュール１は、腕時計ケース（図示せず）内に中枠３によって組み込まれるように構成されている。
【００１０】
この腕モジュール１は、図２に示すように、中枠３の内部に設けられるハウジング４を備えている。このハウジング４の上面には、目盛板である文字板５が設けられており、ハウジング４内には、時計ムーブメント６および回路基板７が設けられている。また、この時計モジュール１の３時の位置には、リューズ２が中枠３を介して腕時計ケース（図示せず）の外部に突出した状態で設けられている。
【００１１】
時計ムーブメント６は、図１および図２に示すように、分針８および時針９を文字板５の上方で運針させて時刻を指示するように構成されている。すなわち、分針８は、分針軸１０の上端部に取り付けられており、時針９は時針軸１１の上端部に取り付けられている。この場合、分針軸１０は、二番車である分針車１０ａの軸であり、時針軸１１内に回転自在に挿入されて時針軸１１の上方に突出した状態で、輪列受け６ａに回転自在に取り付けられている。
【００１２】
また、時針軸１１は、図２に示すように、筒車である時針車１１ａの筒軸であり、文字板５の貫通孔５ａを通して文字板５の上方に突出している。この時針軸１１の時針車１１ａは、文字板５と分針車１０ａとの間に回転自在に配置されている。これにより、時計ムーブメント６は、分針車１０ａの回転に伴って分針軸１０が回転して分針８を運針させると共に、時針車１１ａの回転に伴って時針軸１１が回転して時針９を運針させるように構成されている。
【００１３】
回路基板７は、図２に示すように、時計ムーブメント６の下側に配置されている。この回路基板７には、図示しないが、電源回路部や時計ムーブメント６の駆動回路などの時計機能に必要な各種の電子回路が搭載されている。また、文字板５の上面には、時字（図示せず）が設けられている。これにより、分針８および時針９は、図１に示すように、文字板５上を運針して時字を指示することにより、時刻が分かるように構成されている。
【００１４】
ところで、この時計モジュール１は、図１〜図５に示すように、指針発光装置を備えている。この指針発光装置は、分針８に設けられた発光素子１３を発光させて文字板５上を部分的に照明するように構成されている。この場合、発光素子１３は、発光ダイオード（ＬＥＤ）からなり、分針８の先端側の下面に設けられ、分針８が文字板５上の所定位置、例えば１２時の位置に移動した際に、発光して分針８の先端側下部を照明するように構成されている。
【００１５】
この発光素子１３は、図２および図５に示すように、第１接続部１４と第２接続部１５とによって回路基板７と電気的に接続されている。すなわち、第１接続部１４は、分針８および分針軸１０を経由して発光素子１３の一方の電極端子（正極）を回路基板７の電源回路部の一方の電極（正極）７ａに接続するように構成されている。この場合、分針８は、アルミニウムなどの金属で形成されている。
【００１６】
このため、この分針８の先端側の下面には、図３に示すように、絶縁膜１２ａが設けられている。この絶縁膜１２ａの下面には、接続配線１２ｂ、１２ｃがパターン形成されている。この接続配線１２ｂ、１２ｃには、発光素子１３の両極である各電極端子１３ａ、１３ｂが接続された状態で、発光素子１３が取り付けられている。この場合、発光素子１３の一方の電極端子（正極）１３ａは、接続配線１２ｂによって金属製の分針８と電気的に接続され、この分針８が接続配線として金属製の分針軸１０に接続される。
【００１７】
また、この分針軸１０と回路基板７とは、図２および図５に示すように、接点板１６によって接続されている。この接点板１６は、金属板からなり、その下端部１６ａが回路基板７の電源回路部の一方の電極７ａ上に半田などで固定されている。この下端部１６ａ上の立上り部１６ｂは、時計ムーブメント６の輪冽受け６ａに設けられた貫通孔６ｂを通して上方に突出している。
【００１８】
この突出した上部には、図２および図５に示すように、先端部１６ｃが分針軸１０の下部に向けて延びている。この延びた先端部１６ｃは、分針軸１０の外周面に常に接触して分針軸１０と導通している。これにより、第１接続部１４は、分針８、分針軸１０、および接点板１６を経由して、発光素子１３の一方の電極端子（正極）１３ａを回路基板７の電源回路部の一方の電極（正極）７ａに接続している。
【００１９】
一方、第２接続部１５は、図１および図２に示すように、文字板５上の所定位置、例えば１２時の位置に設けられて分針８が接離可能に接触する導通部材１７を経由して、発光素子１３の他方の電極端子（負極）１３ｂを回路基板７の電源回路部の他方の電極（負極）７ｂに接続するように構成されている。
【００２０】
この場合、分針８がアルミニウムなどの金属で形成されていることにより、図３に示したように、分針８の下面に設けられた絶縁膜１２ａに接続配線１２ｃがパターン形成され、この接続配線１２ｃに発光素子１３の他方の電極端子１３ｂが接続されている。また、この分針８は、その先端の下面に接触子１８が絶縁膜１２ａを介して設けられている。
【００２１】
この接触子１８は、図３に示すように、接続配線１２ｃによって発光素子１３の他方の電極端子１３ｂと電気的に接続されている。また、この接触子１８は、図２に示すように、分針８と共に移動して文字板５上に設けられた導通部材１７に接離可能に接触して、導通部材１７の上面を通過するように構成されている。導通部材１７は、文字板５上の所定位置、例えば１２時の位置に上方に突出して設けられている。
【００２２】
この導通部材１７は、図２に示すように、その下面がコイルばね１９によって回路基板７の他方の電極７ｂと電気的に接続されている。すなわち、このコイルばね１９は、導通部材１７の下側に位置する文字板５およびハウジング４に連続して設けられた貫通孔５ｂ、４ａ内に配置され、この状態で上端部が導通部材１７の下面に弾接し、下端部が回路基板７の電極７ｂに弾接することにより、導通部材１７と回路基板７の電極７ｂとを電気的に接続している。
【００２３】
この場合、導通部材１７は、分針８の移動方向における両端部が円弧状に形成されていることが好ましい。また、この導通部材１７に接触する分針８の接触子１８も、分針８の移動方向における両端部が円弧状に形成されていることが好ましい。これにより、導通部材１７と接触子１８とは、分針８が導通部材１７に接近して接触子１８の端部と導通部材１７の端部とが接触する際に、接触子１８が導通部材１７に滑らかに接触して導通部材１７の上面を円滑に通過させるように構成されている。
【００２４】
次に、このような腕時計における指針発光装置の作用について説明する。
通常は、分針８および時針９が文字板５の上方を運針して時刻を指示する。このときに、分針８が文字板５の所定位置である１２時を指示すると、分針８の接触子１８が文字板５上の導通部材１７に接触する。すると、分針８に設けられた発光素子１３が発光し、文字板５の１２時付近を照明する。
【００２５】
すなわち、分針８の接触子１８が文字板５上の導通部材１７に接触すると、発光素子１３が回路基板７の電源回路部と電気的に接続されて電力が供給されるので、発光素子１３が発光する。このとき、発光素子１３は、その一方の電極端子（正極）１３ａが第１接続部１４によって回路基板７の電源回路部の一方の電極（正極）７ａに電気的に接続されており、この状態で他方の電極端子（負極）１３ｂが第２接続部１５によって回路基板７の電源回路部の他方の電極（負極）７ｂに電気的に接続されることにより、発光素子１３が発光する。
【００２６】
この場合、発光素子１３は、分針８の接触子１８が文字板５上の導通部材１７に接触している間だけ、発光して文字板５の１２時付近を照明する。すなわち、分針８が運針して分針８の接触子１８が文字板５上の導通部材１７に接近して、接触子１８の端部と導通部材１７の端部とが接触すると、発光素子１３が発光し、接触子１８の下端面が導通部材１７の上端面上を移動している間、発光し続ける。
【００２７】
そして、接触子１８の下端面が導通部材１７の上端面上を通過して、図４および図５に示すように、接触子１８の端部が導通部材１７の端部から離れると、発光素子１３の発光が停止する。すなわち、分針８が運針して分針８の接触子１８が文字板５上の導通部材１７から離れると、第２接続部１５による発光素子１３の他方の電極端子（負極）１３ｂと回路基板７の電源回路部の他方の電極（負極）７ｂとの接続が断たれるため、発光素子１３の発光が停止する。
【００２８】
このように、この腕時計の指針発光装置によれば、文字板５上の所定位置である１２時の位置に分針８が移動した際に、分針８に設けられた発光素子１３を発光させるために、分針８および分針軸１０を経由して発光素子１３の一方の電極端子（正極）１３ａを電源回路部の一方の電極（正極）７ａに接続する第１接続部１４と、文字板５上の１２時の位置に設けられて分針８が接離可能に接触する導通部材１７を経由して、発光素子１３の他方の電極端子（負極）１３ｂを電源回路部の他方の電極（負極）７ｂに接続する第２接続部１５と、を備えているので、発光素子１３の接続を分散させることができ、これにより接続構造の簡素化を図り、確実にかつ良好に発光素子１３を発光させることができる。
【００２９】
すなわち、この指針発光装置では、発光素子１３の２つ電極端子１３ａ、１３ｂを電源回路部に接続する際に、分針８および分針軸１０を経由する第１接続部１４によって、発光素子１３の一方の電極端子１３ａを電源回路部の一方の電極７ａに接続することができ、また分針８が接離可能に接触する文字板５上の導通部材１７を経由する第２接続部１５によって、発光素子１３の他方の電極端子１３ｂを電源回路部の他方の電極７ｂに接続することができるので、発光素子１３の接続配線を分針軸１０に集中させずに、分散させることができ、これにより接続構造の簡素化を図ることができると共に、確実にかつ良好に発光素子１３を電源回路部に接続して発光させることができる。
【００３０】
この場合、分針８には、導通部材１２に接離可能に接触した際に、導通部材１７と導通する接触子１８が設けられているので、分針８が運針して文字板５の所定位置である１２時を指示した際に、分針８の接触子１８を導通部材１７に確実に接触させることができる。これにより、第２接続部１５が発光素子１３の他方の電極端子１３ｂを電源回路部の他方の電極７ｂに接続させることができるので、発光素子１３を確実に発光させることができる。
【００３１】
また、導通部材１７と接触子１８とは、分針８の移動方向における両端部がそれぞれ円弧状に形成されていることにより、分針８が運針して分針８の接触子１８が導通部材１７に接近し、接触子１８の端部と導通部材１７の端部とが接触する際に、接触子１８を導通部材１７に円滑に接触させて導通部材１７の上面に滑らかに移動させることができると共に、導通部材１７の上面を円滑に通過させることができる。
【００３２】
また、この指針発光装置では、導通部材１７が文字板５の１２時の位置に設けられていることにより、分針８が運針して１２時を指示した際に、発光素子１３を発光させることができるので、アラーム機能として使用することができるほか、この発光素子１３の発光によって分針８の針位置を検出することができる。このため、衝撃などによって分針８が分針軸１０に対して位置がずれた際には、発光素子１３の発光タイミングがずれることにより、分針軸１０に対する分針８の位置ずれを視認することができ、これにより分針８を取り外して位置ずれを修正することができる。
【００３３】
この場合、導通部材１７が文字板５の１２時の位置に設けられ、分針８が運針して１２時を指示した際には、発光素子１３を発光させることができることにより、分針車１０ａを駆動する輪列機構の歯車によって分針８の針位置検出を行う必要がなく、発光素子１３の発光タイミングで分針８の針位置検出を行うことができる。このため、分針８を分針軸１０に取り付ける際に、針位置を検出するための歯車を用いた場合のような針取付に係わる制約がないので、簡単に分針８を分針軸１０に取り付けることができる。
【００３４】
（第２実施形態）
次に、図６〜図１０を参照して、この発明を適用した腕時計の第２実施形態について説明する。なお、図１〜図５に示された第１実施形態と同一部分には同一符号を付して説明する。
この腕時計の指針発光装置は、図６〜図８に示すように、第２接続部１５の導通部材２０をその上面に分針８の接触子１８が接触した状態で移動するように形成した構成であり、これ以外は第１実施形態とほぼ同じ構成になっている。
【００３５】
この導通部材２０は、図６および図８に示すように、文字板５上に設けられたリング状の導通本体部２１と、この導通本体部２１上における所定位置、例えば１２時の位置に設けられた導通突起部２２と、この導通突起部２２を除いて導通本体部２１上に導通突起部２２と同じ高さで設けられた絶縁部２３とを備えている。これにより、導電突起部２２の上面と絶縁部２３の上面とは、同一平面に形成されている。
【００３６】
この場合、導通部材２０は、図１０に示すように、リング状の導通本体部２１の下面がコイルばね１９によって回路基板７の電源回路部の電極７ｂと電気的に接続されている。すなわち、このコイルばね１９は、図６および図９に点線で示すように、リング状の導通本体部２１の任意の位置において、導通本体部２１の下面と回路基板７の電源回路部の電極７ｂとを電気的に接続している。また、分針８の接触子１８は、図７および図１０に示すように、分針８の運針に伴って移動する際に、導電突起部２２の上面と絶縁部２３の上面とのいすかに常に接触した状態で、移動するように構成されている。
【００３７】
これにより、第２接続部１５は、図６および図７に示すように、文字板５上に設けられた導通部材２０の導通本体部２１上における所定位置である１２時の位置に設けられた導通突起部２２に分針８の接触子１８が接触した際に、図１０に示すように、導通部材２０およびコイルばね１９を経由して、発光素子１３の他方の電極端子（負極）１３ｂを回路基板７の電源回路部の他方の電極（負極）７ｂに接続し、分針８の発光素子１３を発光させるように構成されている。
【００３８】
このような指針発光装置によれば、第１実施形態と同様の作用効果があるほか、導通部材２０が、文字板５上に設けられたリング状の導通本体部２１と、この導通本体部２１上における所定位置、例えば１２時の位置に設けられた導通突起部２２と、この導通突起部２２を除いて導通本体部２１上に導通突起部２２と同じ高さで設けられた絶縁部２３とを備えた構成であるから、導通部材２０と回路基板７との接続が容易にできると共に、分針８を安定した状態で円滑に運針させることができる。
【００３９】
すなわち、この指針発光装置では、導通部材２０の導通本体部２１がリング状に形成されているので、この導通部材２０を回路基板７の電源回路部の他方の電極（負極）７ｂに接続する際に、リング状の導通本体部２１の任意の位置において、導通本体部２１の下面と回路基板７の電源回路部の電極７ｂとをコイルばね１９によって電気的に接続することができる。このため、コイルばね１９の設置位置が制約を受けることがないので、導通部材２０と回路基板７との接続が簡単でかつ容易にできる。
【００４０】
また、この指針発光装置では、導通本体部２１上における所定位置である１２時の位置に設けられた導通突起部２２と、この導通突起部２２を除いて導通本体部２１上に設けられた絶縁部２３とが同じ高さに形成されていることにより、導通突起部２２の上面と絶縁部２３の上面とを同一平面に平らに形成することできる。このため、分針８が運針する際に、分針８の接触子１８を導通突起部２２と絶縁部２３とのいずれかの上面上を滑らかに移動させることができるので、分針８を安定した状態で円滑に移動させることができる。
【００４１】
（第３実施形態）
次に、図１１〜図１４を参照して、この発明を適用した腕時計の第３実施形態について説明する。この場合には、図６〜図１０に示された第２実施形態と同一部分に同一符号を付して説明する。
この腕時計の指針発光装置は、図１１および図１２に示すように、分針８の接触子１８が接触して移動する第２接続部１５の導通部材３０を文字板５上に回転移動可能に配置してリューズ２によって回転移動させる構成であり、これ以外は第２実施形態とほぼ同じ構成になっている。
【００４２】
すなわち、この導通部材３０は、図１１および図１２に示すように、文字板５上に配置されるリング状の導通本体部３１と、この導通本体部３１上における所定位置、つまり所定の範囲、例えば１８０度の範囲に設けられた導通突起部３２と、この導通突起部３２を除いて導通本体部３１上に導通突起部３２と同じ高さで設けられた絶縁部３３とを備えている。この場合にも、導電突起部３２の上面と絶縁部３３の上面とは、同一平面に形成されている。
【００４３】
また、この導通部材３０は、図１２に示すように、リング状の導通本体部３１の下面がコイルばね１９によって回路基板７の電源回路部の電極７ｂと電気的に接続されている。このコイルばね１９は、図１１に点線で示すように、リング状の導通本体部３１の３時の位置において、図１２に示すように、導通本体部３１の下面と回路基板７の電源回路部の電極７ｂとを電気的に接続しているが、これに限らず、第２実施形態と同様、リング状の導通本体部３１における任意の位置において、導通本体部３１の下面と回路基板７の電源回路部の電極７ｂとを電気的に接続することが可能である。
【００４４】
また、この導通部材３０は、図１２に示すように、文字板５上に回転移動可能に配置されている。この場合、コイルばね１９は、導通本体部３１の内周側に位置する下面に弾接した状態で相対的に移動するように構成されている。また、導通本体部３１の外周側に位置する下面には、ラック歯３４が設けられている。このラック歯３４は、導通本体部３１の内周側に位置する下面よりも上部側に設けられている。これにより、導通部材３０は、導通本体部３１の内周側に位置する下面が文字板５上に接触した状態で回転移動するように構成されている。
【００４５】
さらに、この導通部材３０は、図１２に示すように、操作部材であるリューズ２によって文字板５上を回転移動するように構成されている。このリューズ２は、中枠３の貫通孔３ａに回転自在に挿入された操作軸部３６と、中枠３の外部に突出した操作軸部３６の外端部に設けられた操作頭部３７と、中枠３の内部に突出した操作軸部３６の内端部に設けられて導通部材３０のラック歯３４に噛み合って回転する歯車３８とを備えている。
【００４６】
これにより、リューズ２は、図１２および図１３に示すように、操作頭部３７を回すと、操作軸部３６が回転し、この操作軸部３６に伴って歯車３８が回転し、この歯車３８に噛み合っているラック歯３４が回転移動することにより、導通部材３０を文字板５上で回転移動させるように構成されている。
【００４７】
この場合、導通部材３０は、図１１および図１４に示すように、リューズ２によって文字板５上を回転移動すると、導通突起部３２が文字板５に対して任意の位置に移動する。例えば、導通突起部３２は、図１１に示すように、１２時の位置から３時の位置を経て６時の位置に設定されたり、また図１４（ａ）および図１４（ｂ）に示すように、３時の位置から６時の位置を経て９時の位置に設定されたりする。
【００４８】
次に、このような腕時計における指針発光装置の作用について説明する。
この場合には、予め、リューズ２を操作して、文字板５に対する導通部材３０の導通突起部３２の位置を設定する。すなわち、リューズ２の操作頭部３７を回して操作軸部３６の歯車３８を回転させ、この歯車３８に噛み合っているラック歯３４を回転移動させることにより、導通部材３０を文字板５上で回転移動させる。これにより、例えば、図１４（ａ）および図１４（ｂ）に示すように、導通突起部３２を３時の位置から６時の位置を経て９時の位置に設置する。
【００４９】
この状態では、分針８および時針９が文字板５の上方を通常運針して時刻を指示する。この場合、分針８が文字板５の１２時に位置から３時の位置に移動する際には、図１４（ａ）に示すように、分針８の接触子１８が文字板５上に配置された導通部材３０の絶縁部３３上を接触しながら移動する。このときには、分針８の発光素子１３は発光しない。
【００５０】
そして、分針８が３時の位置に到達した際には、図１２に示すように、分針８の接触子１８が導通部材３０の絶縁部３３上から導通突起部３２上に移動して導通突起部３２に接触する。すると、分針８に設けられた発光素子１３が発光し、文字板５の３時付近を照明する。すなわち、分針８の接触子１８が導通部材３０の導通突起部３２に接触すると、発光素子１３が回路基板７の電源回路部と電気的に接続されて電力が供給されるので、発光素子１３が発光する。
【００５１】
この場合、発光素子１３は、分針８の接触子１８が導通部材３０の導通突起部３２に接触している間、つまり３時の位置から９時の位置まで移動する３０分間だけ発光し続ける。これにより、発光素子１３は、文字板５の３時の位置から９時の位置までの間において、順次移動しながら、文字板５上を部分的に照明し続ける。
【００５２】
そして、接触子１８が導通部材３０の導通突起部３２上を通過して導通突起部３２上から離れると、発光素子１３の発光が停止する。なわち、分針８の接触子１８が３０の導通突起部３２から離れると、第２接続部１５による発光素子１３の他方の電極端子（負極）１３ｂと回路基板７の電源回路部の他方の電極（負極）７ｂとの接続が断たれるため、発光素子１３の発光が停止する。
【００５３】
このように、分針８の接触子１８が導通部材３０の導通突起部３２に接触している間、つまり３時の位置から９時の位置まで移動する３０分間だけ、発光素子１３が発光し続けながら移動することにより、タイマー機能やストップウォッチ機能として使用することができる。
【００５４】
例えば、タイマー機能として使用する際には、タイマーをスタートさせる際に、リューズ２を操作して、導通部材３０の導通突起部３２をタイマーのスタート位置に設置すれば良い。この場合、導通突起部３２における時計回りと反対側に位置する端部に分針８の先端を対応させると、３０分のタイマーとして使用でき、また導通突起部３２の中間部に分針８の先端を対応させると、１５分のタイマーとして使用できる。
【００５５】
同様に、ストップウォッチ機能として使用する際には、ストップウォッチをスタートさせる際に、リューズ２を操作して、導通部材３０の導通突起部３２をストップウォッチのスタート位置に設置すれば良い。この場合にも、導通突起部３２における時計回りと反対側に位置する端部に分針８の先端を対応させると、３０分間のストップウォッチとして使用でき、また導通突起部３２の中間部に分針８の先端を対応させると、１５分間のストップウォッチとして使用できる。
【００５６】
このように、この腕時計の指針発光装置によれば、第１、第２の各実施形態と同様の作用効果があるほか、導通部材３０の導通突起部３２が、導通本体部３１上における所定の範囲、例えば１８０度の範囲に設けられていることにより、分針８の発光素子１３を所定の時間帯（例えば３０分間）だけ、連続させて発光させることができ、これによりタイマー機能やストップウォッチ機能として使用することができる。
【００５７】
この場合にも、導通突起部３２における時計回り方向に位置する端部を１２時の位置に設置すれば、第１実施形態と同様、発光素子１３が発光した時点で分針８の針位置を検出することができるので、衝撃などによって分針８が分針軸１０に対して位置がずれた際に、その位置ずれを視認することができ、これにより分針８を取り外して位置ずれを修正することができる。
【００５８】
また、この指針発光装置では、導通部材３０が、文字板５上に回転移動可能に設けられ、かつ操作部材であるリューズ２によって回転移動する構成であることにより、リューズ２を操作して導通部材３０を文字板５上で回転移動させることができ、これにより文字板５に対する導通部材３０の導通突起部３２の位置を自由に設定することができる。このため、タイマー機能やストップウォッチ機能として使用する際に、そのタイマー時間やストップウォッチ時間を自由に設定することができる。
【００５９】
なお、上述した第１〜第３の各実施形態では、分針８をアルミニウムなどの金属で形成した場合について述べたが、これに限らず、例えばカーボンファイバなどの絶縁材料で形成しても良い。この場合には、分針８の下面に絶縁膜１２ａを設ける必要はなく、分針８の下面に直接、各接続配線１２ｂ、１２ｃおよび接触子１８を設けることができる。ただし、分針８の発光素子１３の一方の電極端子（正極）１３ａに接続される第１接続部１４の配線１２ｂを金属製の分針軸１０まで延ばして分針軸１０に接続すれば良い。
【００６０】
また、上述した第１〜第３の各実施形態では、発光素子１３を分針８の下面に設けた場合について述べたが、必ずしも分針８の下面に設ける必要はなく、分針８の上面に設けても良い。また、分針８に発光素子１３を設けた場合について述べたが、必ずしも分針に発光素子１３を設ける必要はなく、例えば秒針に発光素子１３を設けても良く、また時針９に発光素子１３を設けても良い。また、発光部は、発光ダイオードなどの発光素子１３である必要はなく、豆ランプなどでも良い。
【００６１】
さらに、上述した第１〜第３の各実施形態では、指針式の腕時計に適用した場合について述べたが、必ずしも腕時計である必要はなく、例えばトラベルウオッチ、目覚まし時計、置き時計、掛け時計などの各種の指針式の時計に適用することができるほか、車両の計器類などにも適用することができる。
【００６２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６３】
（付記）
請求項１に記載の発明は、指針軸に取り付けられた指針が目盛板上を移動して目盛を指示すると共に、前記目盛板上の所定位置に前記指針が移動した際に、前記指針に設けられた発光部が発光する指針発光装置であって、前記指針および前記指針軸を経由して前記発光部の一方の電極端子を電源回路部の一方の電極に接続する第１接続部と、前記目盛板上の前記所定位置に設けられて前記指針が移動した際に接触する導通部材と、前記導通部材を経由して、前記発光部の他方の電極端子を前記電源回路部の他方の電極に接続する第２接続部と、を備えていることを特徴とする指針発光装置である。
【００６４】
請求項２に記載の発明は、請求項１に記載の指針発光装置において、前記導通部材は、前記目盛板上に設けられたリング状の導通本体部と、この導通本体部上における前記所定位置に設けられた導通突起部と、この導通突起部を除いて前記導通本体部上に前記導通突起部と同じ高さで設けられた絶縁部とを備えていることを特徴とする指針発光装置である。
【００６５】
請求項３に記載の発明は、請求項２に記載の指針発光装置において、前記導通部材の前記導通突起部は、前記導通本体部上における所定の範囲に亘って設けられていることを特徴とする指針発光装置である。
【００６６】
請求項４に記載の発明は、請求項１〜請求項３のいずれかに記載の指針発光装置において、前記導通部材は、前記目盛板上に回転移動可能に設けられ、かつ操作部材によって回転移動することを特徴とする指針発光装置である。
【００６７】
請求項５に記載の発明は、請求項１〜請求項４のいずれかに記載の指針発光装置において、前記指針には、前記導通部材と導通する接触子が設けられていることを特徴とする指針発光装置である。
【符号の説明】
【００６８】
１  時計モジュール
２  リューズ
４  ハウジング
５  文字板
６  時計ムーブメント
７  回路基板
７ａ、７ｂ  電極
８  分針
９  時針
１０  分針軸
１１  時針軸
１３  発光素子
１３ａ、１３ｂ  電極端子
１４  第１接続部
１５  第２接続部
１６  接点板
１７、２０、３０  導通部材
１８  接触子
１９  コイルばね
２１、３１  導通本体部
２２、３２  導通突起部
２３、３３  絶縁部
３４  ラック歯
３６  操作軸部
３７  操作頭部
３８  歯車
【図１】
2014062759.tif 000003
【図２】
2014062759.tif 000004
【図３】
2014062759.tif 000005
【図４】
2014062759.tif 000006
【図５】
2014062759.tif 000007
【図６】
2014062759.tif 000008
【図７】
2014062759.tif 000009
【図８】
2014062759.tif 000010
【図９】
2014062759.tif 000011
【図１０】
2014062759.tif 000012
【図１１】
2014062759.tif 000013
【図１２】
2014062759.tif 000014
【図１３】
2014062759.tif 000015
【図１４】
2014062759.tif 000016